(57)【要約】【課題】シンプルな構成で接続端子群間の導通の切り替えを実現することができる接点切り替え機構を実現する。【解決手段】接点基板（８０）を移動させることによって、接続端子（４０）および接続端子（７１）が接点基板（８０）上を摺動し、第１被摺接部（８２ａ）および第２被摺接部（８２ｂ）と、接続端子（４０）および接続端子（７１）との接触状態が変化する。これにより、接続端子（４０）と接続端子（７１）との導通状態が切り替えられる。【選択図】図１３
2018200819.tif 000002
【特許請求の範囲】
【請求項１】
複数の接続端子群と、
導電性を有する被摺接部が形成された、絶縁性を有する基板と、
前記基板を移動させる基板駆動部とを備え、
前記基板駆動部が前記基板を移動させることによって、前記接続端子群が前記基板上を摺動し、前記被摺接部と、前記接続端子群との接触状態が変化し、前記接続端子群間の導通状態が切り替えられることを特徴とする接点切り替え機構。
【請求項２】
前記複数の接続端子群は、少なくとも１つの第１接続端子と、少なくとも１つの第２接続端子とを備えており、
前記基板駆動部が前記基板を移動させることによって、前記第１接続端子と前記第２接続端子との導通状態が切り替えられることを特徴とする請求項１に記載の接点切り替え機構。
【請求項３】
前記被摺接部は、前記第１接続端子が前記基板に当接する箇所と、当該第１接続端子に対向する前記第２接続端子が前記基板に当接する箇所とを通る直線上に形成されており、
前記基板駆動部が前記基板を前記直線に平行な方向に移動させることにより、前記第１接続端子と前記第２接続端子との導通状態が切り替えられることを特徴とする請求項２に記載の接点切り替え機構。
【請求項４】
前記被摺接部は、前記直線方向の長さが互いに異なる第１被摺接部と第２被摺接部とを含んでおり、
前記第１被摺接部に対応する前記第１接続端子と前記第２接続端子とが導通する前記基板の位置と、前記第２被摺接部に対応する前記第１接続端子と前記第２接続端子とが導通する前記基板の位置とが異なっていることを特徴とする請求項３に記載の接点切り替え機構。
【請求項５】
前記第１被摺接部に対応する前記第１接続端子と前記第２接続端子とは、前記基板の位置に関わらず導通状態となっていることを特徴とする請求項４に記載の接点切り替え機構。
【請求項６】
１つの前記第１接続端子に対応する第１被摺接部と、当該第１接続端子との導通状態が切り替えられる少なくとも１つの前記第２接続端子に対応する第２被摺接部とが、前記基板の移動方向に平行な直線上に配置されておらず、前記第１被摺接部と前記第２被摺接部とが、前記第１接続端子および前記第２接続端子の摺動領域とは異なる領域において電気的に接続されていることを特徴とする請求項２に記載の接点切り替え機構。
【請求項７】
接続対象物との電気的接続を行うコネクタであって、
請求項１〜６のいずれか１項に記載の接点切り替え機構を有し、
前記複数の接続端子群は、複数の第１接続端子からなる第１接続端子群と、複数の第２接続端子からなる第２接続端子群とを備えており、
前記第１接続端子群が、前記接続対象物に設けられた複数の対象端子に対応しており、
前記基板駆動部が前記基板を移動させることによって、前記第１接続端子群と前記第２接続端子群との導通状態が切り替えられることを特徴とするコネクタ。
【発明の詳細な説明】
【技術分野】
【０００１】
本発明は、複数の接続端子からなる２つの接続端子群の間の導通状態を切り替える接点切り替え機構などに関する。
【背景技術】
【０００２】
医療分野において、超音波を利用した超音波診断装置が広く用いられている。一般に、超音波診断装置は、超音波の送受信を行う超音波探触子（超音波プローブ、センサ）と、診断装置本体とを有している。
【０００３】
超音波診断装置は、超音波プローブに備えられる振動子によって発生させた超音波を診断対象に向けて送信し、反射波を超音波プローブで受信し、その受信信号を超音波診断装置本体において電気的に処理することにより、超音波画像を生成している。
【０００４】
超音波診断装置では、上述の受信信号を超音波プローブから超音波診断装置本体に送信するために、超音波プローブが備えるコネクタ（相手コネクタ）と診断装置本体とを接続するコネクタユニットが用いられる。例えば特許文献１には、診断装置本体と超音波プローブとを接続するためのコネクタユニットが開示されている。特許文献１に開示されたコネクタユニットでは、モータの駆動（外部駆動）により、プラグコネクタのレセプタクルコネクタへの接続を行っている。これにより、プラグコネクタのレセプタクルコネクタへの接続にかかる手間を低減させている。
【先行技術文献】
【特許文献】
【０００５】
【特許文献１】特開２０１５−２３２９８７号公報（２０１５年１２月２４日公開）
【発明の概要】
【発明が解決しようとする課題】
【０００６】
しかしながら、特許文献１に記載のコネクタユニットでは、モータの駆動によりレセプタクルコネクタのコンタクトピンを移動させることにより、プラグコネクタのレセプタクルコネクタへの接続を行っている。そのため、特許文献１に記載のコネクタユニットでは、コンタクトピンを移動させるための機構が必要となり、構成が複雑になってしまうという問題があった。
【０００７】
本発明の一態様は、シンプルな構成で接続端子群間の導通の切り替えを実現することができる接点切り替え機構を実現することを目的とする。
【課題を解決するための手段】
【０００８】
上記の課題を解決するために、本発明の一態様に係る接点切り替え機構は、複数の接続端子群と、導電性を有する被摺接部が形成された、絶縁性を有する基板と、前記基板を移動させる基板駆動部とを備え、前記基板駆動部が前記基板を移動させることによって、前記接続端子群が前記基板上を摺動し、前記被摺接部と、前記接続端子群との接触状態が変化し、前記接続端子群間の導通状態が切り替えられることを特徴とする。
【０００９】
上記の特徴によれば、基板が移動することによって、接続端子群間の導通状態を切り替えることができる。これにより、接続端子群を移動させることは困難である場合において、接続端子群を移動させることなく、基板を移動させることによって導通の切り替えを実現することができる。よって、別途移動接点を設けるなどの複雑な構造とすることなく、シンプルな構成で接続端子群間の導通の切り替えを実現することができる。
【００１０】
本発明の一態様に係る接点切り替え機構において、前記複数の接続端子群は、少なくとも１つの第１接続端子と、少なくとも１つの第２接続端子とを備えており、前記基板駆動部が前記基板を移動させることによって、前記第１接続端子と前記第２接続端子との導通状態が切り替えられる構成であってもよい。
【００１１】
本発明の一態様に係る接点切り替え機構において、前記被摺接部は、前記第１接続端子が前記基板に当接する箇所と、当該第１接続端子に対向する前記第２接続端子が前記基板に当接する箇所とを通る直線上に形成されており、前記基板駆動部が前記基板を前記直線に平行な方向に移動させることにより、前記第１接続端子と前記第２接続端子との導通状態が切り替えられる構成であってもよい。
【００１２】
上記の構成によれば、基板を一方向に移動させることによって、互いに対向する、第１接続端子と、第２接続端子との導通状態を切り替えることができる。
【００１３】
本発明の一態様に係る接点切り替え機構において、前記被摺接部は、前記直線方向の長さが互いに異なる第１被摺接部と第２被摺接部とを含んでおり、前記第１被摺接部に対応する前記第１接続端子と前記第２接続端子とが導通する前記基板の位置と、前記第２被摺接部に対応する前記第１接続端子と前記第２接続端子とが導通する前記基板の位置とが異なっている構成であってもよい。
【００１４】
上記の構成によれば、第１被摺接部に対応する第１接続端子と第２接続端子との導通状態の切り替えと、第２被摺接部に対応する第１接続端子と第２接続端子との導通状態の切り替えとを基板の位置によって段階的に行うことができる。
【００１５】
本発明の一態様に係る接点切り替え機構において、前記第１被摺接部に対応する前記第１接続端子と前記第２接続端子とは、前記基板の位置に関わらず導通状態となっている構成であってもよい。
【００１６】
上記の構成によれば、第１被摺接部に対応する、第１接続端子と第２接続端子とを常時導通状態にした状態において、第２被摺接部に対応する、第１接続端子と第２接続端子との導通状態の切り替えを行うことができる。
【００１７】
本発明の一態様に係る接点切り替え機構において、１つの前記第１接続端子に対応する第１被摺接部と、当該第１接続端子との導通状態が切り替えられる少なくとも１つの前記第２接続端子に対応する第２被摺接部とが、前記基板の移動方向に平行な直線上に配置されておらず、前記第１被摺接部と前記第２被摺接部とが、前記第１接続端子および前記第２接続端子の摺動領域とは異なる領域において電気的に接続されている構成であってもよい。
【００１８】
上記の構成によれば、第１接続端子と第２接続端子とが互いに対向する、第１接続端子群と第２接続端子群との電気的接続において、対向していない第１接続端子と第２接続端子との導通状態を切り替えることができる。
【００１９】
本発明のコネクタは、接続対象物との電気的接続を行うコネクタであって、上記のいずれか１項に記載の接点切り替え機構を有し、前記複数の接続端子群は、複数の第１接続端子からなる第１接続端子群と、複数の第２接続端子からなる第２接続端子群とを備えており、前記第１接続端子群が、前記接続対象物に設けられた複数の対象端子に対応しており、前記基板駆動部が前記基板を移動させることによって、前記第１接続端子群と前記第２接続端子群との導通状態が切り替えられる構成である。
【発明の効果】
【００２０】
本発明の一態様によれば、適用される装置の部品点数を少なくすることができるという効果を奏する。
【図面の簡単な説明】
【００２１】
【図１】本発明の実施形態１に係るコネクタユニットを備える超音波診断装置の構成を示す概略図である。
【図２】上記超音波診断装置が備えるプローブ側コネクタを下方から見た外観斜視図である。
【図３】上記コネクタユニットの構造を示す斜視図である。
【図４】上記コネクタユニットの側面図である。
【図５】第１接点開閉部と第２接点開閉部とを上下に分離して図示した上記コネクタユニットの側面図である。
【図６】図４に示すＡ−Ａ線矢視断面図である。
【図７】上記第１接点開閉部が備える端子ユニットの構造を示すものであり、（ａ）は端子ユニットの斜視図であり、（ｂ）は端子ユニットが備える接続端子の構造を示す平面図である。
【図８】上記第１接点開閉部が備えるソケットハウジングの斜視図である。
【図９】上記第２接点開閉部の斜視図である。
【図１０】上記第２接点開閉部が備える、端子ユニットおよび接点基板の斜視図である。
【図１１】上記接点基板の平面図である。
【図１２】上記接点基板の上下方向の移動機構を説明するためのものであり、（ａ）は、接点基板が上方にある状態を示す図であり、（ｂ）は、接点基板が下方にある状態を示す図である。
【図１３】上記コネクタユニットにプローブ側コネクタが挿入される前の状態を示すものであり、（ａ）はコネクタユニットの断面図であり、（ｂ）は第１接点開閉部の接続端子および第２接点開閉部の接続端子と、接点基板との接続状態を示す模式図である。
【図１４】上記コネクタユニットにプローブ側コネクタが挿入された状態を示すものであり、（ａ）はコネクタユニットおよびプローブ側コネクタの断面図であり、（ｂ）は第１接点開閉部の接続端子および第２接点開閉部の接続端子と、接点基板およびプローブ側コネクタが備える接続端子との接続状態を示す模式図である。
【図１５】上記コネクタユニットにおいて、第１カムおよび第２カムの長軸が水平方向となるように第１シャフト１および第２シャフトを回転させた状態を示すものであり、（ａ）はコネクタユニットおよびプローブ側コネクタの断面図であり、（ｂ）は第１接点開閉部の接続端子および第２接点開閉部の接続端子と、接点基板およびプローブ側コネクタが備える接続端子との接続状態を示す模式図である。
【図１６】上記接点基板を下方に移動させた状態を示すものであり、（ａ）はコネクタユニットおよびプローブ側コネクタの断面図であり、（ｂ）は第１接点開閉部の接続端子および第２接点開閉部の接続端子と、接点基板およびプローブ側コネクタが備える接続端子との接続状態を示す模式図である。
【図１７】（ａ）および（ｂ）は、実施形態１における接点基板の変形例としての接点基板を用いて第１接点開閉部の接続端子と第２接点開閉部の接続端子との導通状態を切り替える様子を示す図である。
【図１８】（ａ）〜（ｄ）は、実施形態１における接点基板のさらなる変形例としての接点基板を用いて第１接点開閉部の接続端子と第２接点開閉部の接続端子との導通状態を切り替える様子を示す図である。
【図１９】（ａ）および（ｂ）は、実施形態１の接点基板のさらなる変形例としての接点基板を用いて第１接点開閉部の接続端子と第２接点開閉部の接続端子との導通状態を切り替える様子を示す図である。
【図２０】（ａ）および（ｂ）は、実施形態１の接点基板のさらなる変形例としての接点基板を用いて第１接点開閉部の接続端子と第２接点開閉部の接続端子との導通状態を切り替える様子を示す図である。
【図２１】（ａ）および（ｂ）は、実施形態１の接点基板のさらなる変形例としての接点基板を用いて第１接点開閉部の接続端子と第２接点開閉部の接続端子との導通状態を切り替える様子を示す図である。
【図２２】本発明の実施形態２に係るスイッチの斜視図である。
【図２３】上記スイッチの側面図である。
【図２４】上記スイッチが備える、端子ユニット、基板ホルダー、およびガイドレールを図示した斜視図である。
【図２５】上記スイッチが備える接点基板の平面図である。
【図２６】（ａ）および（ｂ）は、上記スイッチにおける接続端子間の導通状態を切り替える様子を示す図である。
【図２７】（ａ）および（ｂ）は、実施形態２の接点基板の変形例としての接点基板を用いて接続端子間の導通状態を切り替える様子を示す図である。
【発明を実施するための形態】
【００２２】
以下、本発明の実施形態１に係る、コネクタユニット１０（コネクタ）および接点切り替え機構について、詳細に説明する。
【００２３】
本発明に係るコネクタユニット１０の構造について、図１〜図１２を参照しながら説明する。
【００２４】
図１は、コネクタユニット１０を備える超音波診断装置１の構成を示す概略図である。なお、以降では、説明の便宜上、図２における＋Ｘ方向を前方向、−Ｘ方向を後方向、＋Ｙ方向を上方向、−Ｙ方向を下方向、＋ｚ方向を右方向、−ｚ方向を左方向として説明する。
【００２５】
図１に示すように、超音波診断装置１は、基板２と、基板２に設けられた制御回路３と、４つの超音波プローブ４と、基板２に設けられ制御回路３と電気的に接続されている４つのコネクタユニット１０と、超音波プローブ４にそれぞれ接続されているプローブ側コネクタ（接続対象物）１００とを備えている。
【００２６】
（プローブ側コネクタ１００）
まず、コネクタユニット１０と接続するプローブ側コネクタ１００について、図２を参照しながら説明する。
【００２７】
図２は、プローブ側コネクタ１００を下方から見た外観斜視図である。プローブ側コネクタ１００は、図２に示すように、ハウジング１１０と、嵌合部１１１と、複数の接続端子（対象端子）１１２と、突出部（係合受部）１１３とを備えている。
【００２８】
複数の接続端子１１２は、超音波プローブ４によって得られた電気信号の送信、超音波プローブ４のＩＤ情報の送信、電源供給などに用いられる接続端子である。複数の接続端子１１２は、保持部材（不図示）によって前後方向に４列に整列されて保持されている。ハウジング１１０および嵌合部１１１は、内部において上述の保持部材を支持することにより、接続端子１１２を保持している。接続端子１１２の下部は、外部に露出している。
【００２９】
嵌合部１１１は、プローブ側コネクタ１００のうちコネクタユニット１０と嵌合する部分である。嵌合部１１１の左右方向の側面間の距離は、ハウジング１１０の左右方向の側面間の距離よりも短くなっている。これにより、プローブ側コネクタ１００をコネクタユニット１０に嵌合したときに、ハウジング１１０の下面が後述するハウジング２１の上面と当接し、嵌合部１１１がハウジング２１の内部に格納されるようになっている。
【００３０】
また、嵌合部１１１の前後方向の側面には、外側に向けて突出する２つの円形状の突出部１１３がそれぞれ形成されている。
【００３１】
（コネクタユニット１０の構造）
次に、コネクタユニット１０の構造について図３〜図１２を参照しながら説明する。
【００３２】
図３は、コネクタユニット１０の構造を示す斜視図である。図４は、コネクタユニット１０の側面図である。図５は、第１接点開閉部２０と第２接点開閉部６０とを上下に分離して図示したコネクタユニット１０の側面図である。図６は、図４に示すＡ−Ａ線矢視断面図である。なお、図４および図５では、後述する、第１接点開閉部２０のハウジング２１、第２接点開閉部６０のハウジング６１およびモータボックス６４ｂを省略して図示している。また、図５では、さらにモータ部６４を省略して図示している。
【００３３】
図４〜図６に示すように、コネクタユニット１０は、第１接点開閉部２０と、第２接点開閉部６０とを備えている。
【００３４】
＜第１接点開閉部２０＞
第１接点開閉部２０は、コネクタユニット１０にプローブ側コネクタ１００が挿入されたときに、基板２と超音波プローブ４との電気的接続において、一部の端子（固定端子）の導通の開閉を行う第１接点開閉部としての機能を有している。第１接点開閉部２０について図３〜図８を参照しながら説明する。
【００３５】
図３〜図５に示すように、第１接点開閉部２０は、ハウジング２１と、２つの端子ユニット３０と、ソケットハウジング２２と、スイッチ機構５０とを備えている。
【００３６】
ハウジング２１は、第１接点開閉部２０の各部を内部に収納する。ハウジング２１の上部は開口しており、プローブ側コネクタ１００を差し込むことができるようになっている。ハウジング２１の下面には、２つの開口部（不図示）が形成されている。
【００３７】
図７は、端子ユニット３０の構造を示すものであり、（ａ）は端子ユニット３０の斜視図であり、（ｂ）は端子ユニット３０が備える接続端子４０の構造を示す平面図である。図７の（ａ）に示すように、端子ユニット３０は、プローブ側コネクタ１００の接続端子１１２にそれぞれ対応する複数の接続端子（第１接続端子）４０と、保持部材３１とを備えている。
【００３８】
接続端子４０は、図７の（ｂ）に示すように、一方向（上下方向）に延びる細い板であり、金属で構成されている。接続端子４０には、上記金属板を折り曲げることにより、第１凹部４１、第２凹部４２、および第３凹部４３が形成されている。第１凹部４１は、接続端子４０の上側の端部付近に形成されている。第２凹部４２は、接続端子４０の上下方向の中央付近に形成されている。第１凹部４１および第２凹部４２が凹んでいる方向は同一の方向である。第３凹部４３は、接続端子４０の下側の端部付近に形成されている。第３凹部４３が凹んでいる方向は、第１凹部４１および第２凹部４２が凹んでいる方向とは逆方向である。
【００３９】
複数の接続端子４０は、図７の（ａ）に示すように、保持部材３１によって前後方向に２列に整列されて保持されている。また、複数の接続端子４０は、各列において第１凹部４１および第２凹部４２の凹む向きが外向きになるように保持部材３１に保持されている。
【００４０】
２つの端子ユニット３０は、図６に示すように、保持部材３１がハウジング２１の下面に形成された上記開口部にそれぞれ嵌め込まれることによりハウジング２１に固定される。これにより、複数の接続端子４０が、Ｘ軸方向に並んで４列配置される。各接続端子４０は、プローブ側コネクタ１００がコネクタユニット１０に嵌め込まれたときに、プローブ側コネクタ１００の接続端子１１２と対向する位置に配置されている。図７に示すように、各接続端子４０の下端部は、保持部材３１から下方に突出しており、第３凹部４３が後述する接点基板８０の被摺接部８２（第１被摺接部８２ａまたは第２被摺接部８２ｂ）（図１１参照）に当接している。
【００４１】
図８は、ソケットハウジング２２の斜視図である。ソケットハウジング２２は、図３に示すように、第１接点開閉部２０の上部を構成する部材である。ソケットハウジング２２は、図８に示すように、略長方形状の板状の部材であるベース部２２ａと、２つのカバー部２２ｂとを備えている。
【００４２】
カバー部２２ｂは、ベース部２２ａの上面から上方に突出しており、接続端子４０の上部をカバーしている。カバー部２２ｂのＸＹ平面に平行な側面には、接続端子４０のそれぞれに対応する箇所に開口部が形成されている。
【００４３】
スイッチ機構５０は、端子ユニット３０の接続端子４０と、プローブ側コネクタ１００の接続端子１１２との接続を行う。スイッチ機構５０は、図６に示すように、第１シャフト（カム軸）５１と、第２シャフト（カム軸）５２と、第１カム（カム）５３と、第２カム（カム）５４とを有している。
【００４４】
第１シャフト５１および第２シャフト５２は、前後方向（Ｘ軸方向）に直線状に延びる棒状の部材である。第１シャフト５１は、前側がハウジング２１の内部に収納されており、後側がハウジング２１を貫通してハウジング２１から突出している。第１シャフト５１におけるハウジング２１から突出している部分には、ユーザからの操作を受け付ける操作レバー（不図示）が設けられている。第２シャフト５２は、ハウジング２１の内部に収納されている。
【００４５】
第１シャフト５１および第２シャフト５２は、長手方向（Ｘ軸方向）を軸として回転できるように、ハウジング２１に支持されている。第１シャフト５１および第２シャフト５２のそれぞれには、互いに嵌合するギア（不図示）が備えられており、第１シャフト５１が上記操作レバーを介してユーザにより操作されて回転するに伴って、第２シャフト５２が第１シャフト５１の回転方向とは逆方向に回転するようになっている。
【００４６】
第１シャフト５１および第２シャフト５２における、端子ユニット３０の接続端子４０が並べられている領域に対応する領域の周囲には、第１カム５３および第２カム５４が固定されて設けられている。
【００４７】
第１カム５３および第２カム５４は、図６に示すように、互いに対向する接続端子４０の第２凹部４２の間を通るようにそれぞれ配置されている。第１カム５３および第２カム５４は、第１シャフト５１および第２シャフト５２の回転に連動して、それぞれ第１シャフト５１および第２シャフト５２を中心として回転する。第１カム５３および第２カム５４は、Ｘ軸に垂直な断面の形状が略楕円形状となっている。Ｘ軸に垂直な断面における第１カム５３および第２カム５４の短軸の長さは、互いに対向する第２凹部４２の間の距離よりも小さくなっている。また、Ｘ軸に垂直な断面における第１カム５３および第２カム５４の長軸の長さは、互いに対向する上記距離よりも大きくなっている。このような構成を有することにより、第１カム５３および第２カム５４は、図６に示す状態から回転されることにより、接続端子４０の第２凹部４２を外側に押圧する（図１５参照）。これにより、第１凹部４１が、対応するプローブ側コネクタ１００の接続端子１１２に当接する。
【００４８】
また、第１シャフト５１および第２シャフト５２におけるハウジング２１に収納されている部分の前後方向の端部付近には、図示しないロック部材が設けられている。上記ロック部材は、第１カム５３および第２カム５４の長軸が水平方向になるように第１シャフト５１および第２シャフト５２が回転したときに、プローブ側コネクタ１００の突出部１１３に係合するように形成されている。これにより、第１カム５３および第２カム５４の長軸が水平方向になるように第１シャフト５１および第２シャフト５２が回転したときに、プローブ側コネクタ１００のコネクタユニット１０への物理的な接続をロック（固定）することができるようになっている。上記ロック部材は、ソケットハウジング２２のベース部２２ａの前後方向の両端部にそれぞれ形成された開口部２２ｃおよび２２ｄ（図８参照）を通ってプローブ側コネクタ１００の突出部１１３に係合するように配置されている。
【００４９】
＜第２接点開閉部６０＞
第２接点開閉部６０は、第１接点開閉部２０の接続端子４０とプローブ側コネクタ１００の接続端子１１２とが接続している状態において、第１接点開閉部２０の接続端子４０と、基板２との導通の開閉を行い、上記固定端子以外の端子の導通の開閉を行う第２接点開閉部としての機能を有している。第２接点開閉部６０について、図３〜６および図９〜図１２を参照しながら説明する。図９は、第２接点開閉部６０の斜視図である。なお、図９では、後述するモータ部６４を省略して図示している。
【００５０】
第２接点開閉部６０は、図３〜６および図９に示すように、ハウジング６１と、２つの端子ユニット７０と、２つの接点基板（基板）８０と、２つの基板ホルダー６２と、４つのガイドレール６３と、モータ部６４（基板駆動部）とを備えている。
【００５１】
ハウジング６１は、第２接点開閉部６０の各部を内部に収納する。ハウジング６１は、図９に示すように、上部および前部が開口している。また、図示していないが、ハウジング６１の下部も開口している。ハウジング６１の内部には、前後方向に延びる仕切り部６１ａが形成されており、ハウジング６１の内部は、仕切り部６１ａによって左右の２つの空間に分けられている。上記２つの空間のそれぞれには、１つの端子ユニット７０と、１つの接点基板８０と、１つの基板ホルダー６２と、２つのガイドレール６３とが収納されている。
【００５２】
図１０は、端子ユニット７０および接点基板８０の斜視図である。図１０に示すように、端子ユニット７０は、複数の接続端子（第２接続端子）７１と、保持部材７２とを備えている。
【００５３】
接続端子７１は、一方向（上下方向）に延びる細い金属板である。接続端子７１の上端部付近には、上記金属板を折り曲げることにより、凹部７１ａが形成されている（図６参照）。
【００５４】
複数の接続端子７１は、保持部材７２によって前後方向に２列に整列されて保持されている。また、複数の接続端子７１は、図６に示すように、凹部７１ａが接点基板８０に当接するように保持部材７２に保持されている。
【００５５】
２つの端子ユニット７０は、保持部材７２がハウジング６１の下面に形成された開口部にそれぞれ嵌め込まれることによりハウジング６１に固定される。これにより、複数の接続端子７１が、Ｘ軸方向に並んで４列配置される。各接続端子７１は、第１接点開閉部２０の接続端子４０とそれぞれ対向する位置に配置されている。各接続端子７１の下端部は、保持部材７２から下方に突出しており、基板２に接続されている。
【００５６】
図１１は、接点基板８０の平面図である。接点基板８０は、接続端子７１と、第１接点開閉部２０の接続端子４０との電気的接続を行うための基板である。接点基板８０は、図１１に示すように、絶縁性を有する絶縁部８１で大部分が形成されており、絶縁部８１の左右方向の両側面に、金属からなる被摺接部８２が形成されている。被摺接部８２は、接続端子７１および接続端子４０に対向する位置に、上下方向に延びて形成されている。被摺接部８２は、第１被摺接部８２ａまたは第２被摺接部８２ｂである。
【００５７】
第１被摺接部８２ａは、接続端子１１２のうち常に基板２と電気的に接続される接続端子１１２に対応する、接続端子４０（常時接続端子）と接続端子７１との電気的接続を行うための被摺接部である。第１被摺接部８２ａは、接点基板８０の上端から下端までの範囲に形成されている。
【００５８】
第２被摺接部８２ｂは、接続端子１１２のうち当該超音波プローブ４を用いて診断するときに基板２と電気的に接続される接続端子１１２に対応する、接続端子４０と接続端子７１との電気的接続を行うための被摺接部である。第２被摺接部８２ｂは、接点基板８０の上端から上下方向の中央付近までの範囲に形成されている。
【００５９】
基板ホルダー６２、ガイドレール６３、およびモータ６４ａは、接点基板８０を上下方向に移動させる移動部として機能する。
【００６０】
基板ホルダー６２は、接点基板８０を保持する。基板ホルダー６２は、後述するガイドレール６３の移動に連動して上下方向に移動し、これに伴い接点基板８０も上下方向に移動する。接点基板８０の移動機構については後述する。
【００６１】
基板ホルダー６２は、直方体形状をしており、内部に接点基板８０を収納するための空間が設けられている。基板ホルダー６２の左右方向の側面６２ａにおける接点基板８０の被摺接部８２のそれぞれに対応する位置には、上下方向にスリットが形成されている。これにより、接点基板８０の被摺接部８２が上記スリットを介して基板ホルダー６２から露出した状態となっている。
【００６２】
また、基板ホルダー６２の側面６２ａの前後方向の両端部付近には、後述するガイドレール６３の開口部６３ａに挿入される突出部６２ｂが形成されている。
【００６３】
ガイドレール６３は、モータ６４ａにより前後方向に移動する部材である。ガイドレール６３は、直方体状になっており、前後方向の両端部付近に開口部６３ａがそれぞれ形成されている。開口部６３ａは、モータ６４ａに向かう方向（前方向、＋Ｘ軸方向）に向かうにつれて下方に傾斜するように設けられている。上述したように、開口部６３ａには、基板ホルダー６２の突出部６２ｂが挿入されている。
【００６４】
モータ部６４は、図３および図４に示すように、モータ６４ａと、モータ６４ａを収納するモータボックス６４ｂとを備えている。モータ６４ａは、ガイドレール６３を前後方向に移動させる駆動部である。モータ６４ａによるガイドレール６３の移動は公知の方法を用いることができるため説明を省略する。モータ６４ａの駆動は、制御回路３からの電気信号により制御される。
【００６５】
＜接点基板８０の移動機構＞
次に、接点基板８０の上下方向の移動機構について図１２を参照しながら説明する。
【００６６】
図１２は、接点基板８０の上下方向の移動機構を説明するためのものであり、（ａ）は、接点基板８０が上方にある状態を示す図であり、（ｂ）は、接点基板８０が下方にある状態を示す図である。
【００６７】
図１２の（ａ）に示すように、ガイドレール６３がモータ６４ａ側（後側、＋Ｘ方向側）に位置している場合には、基板ホルダー６２の突出部６２ｂがガイドレール６３の開口部６３ａの後側（−Ｘ軸方向側）に位置する。この状態では、突出部６２ｂが開口部６３ａの−Ｘ方向側の下部に支持されており、接点基板８０が上方に位置している。この状態において、モータ６４ａによる駆動（アクチュエータ駆動）によりガイドレール６３を後方向（−Ｘ軸方向）に移動させる。これにより、ガイドレール６３の移動に連動して、基板ホルダー６２の突出部６２ｂがガイドレール６３の開口部６３ａの上部から下方向の力を受ける。その結果、基板ホルダー６２が下方向に移動し、それに連動して接点基板８０が下方に移動する。これにより、図８の（ｂ）に示すように、突出部６２ｂが開口部６３ａの＋Ｘ方向側の下部に支持され、接点基板８０が下方に位置するようになる。
【００６８】
（コネクタユニット１０の動作）
次に、コネクタユニット１０の動作について、図１３〜図１６を参照しながら説明する。まず、プローブ側コネクタ１００の接続端子１１２と、基板２とを導通状態にする動作について説明する。
【００６９】
図１３は、コネクタユニット１０にプローブ側コネクタ１００が挿入される前の状態を示すものであり、（ａ）はコネクタユニット１０の断面図であり、（ｂ）は接続端子４０および接続端子７１と、接点基板８０との接続状態を示す模式図である。なお、図１３の（ｂ）では説明の便宜上、上下方向を軸として接続端子４０および接続端子７１を９０°回転させて図示しており、また、１つの第１被摺接部８２ａおよび１つの第２被摺接部８２ｂにそれぞれ対応する接続端子４０および接続端子７１のみを図示している。また、図８では、図１１に示す領域Ｄにおける接点基板８０のみを図示している。これらの図示方法については、以降の図面（図１４〜図１６の（ｂ））についても同様である。また、以降の説明では、第１被摺接部８２ａに対応する、接続端子１１２、接続端子４０、接続端子７１を含む導通経路を第１ライン（図１３の（ｂ）において破線で囲んだ領域のうち右側の領域）と呼称し、第２被摺接部８２ｂに対応する、接続端子１１２、接続端子４０、接続端子７１を含む導通経路を第２ライン（図１３の（ｂ）において破線で囲んだ領域のうち左側の領域）と呼称する。
【００７０】
図１３の（ａ）に示すように、コネクタユニット１０にプローブ側コネクタ１００が挿入される前の状態では、第１カム５３および第２カム５４の長軸が上下方向になっている。この状態においては、接続端子４０は、第１カム５３および第２カム５４とは当接していない。また、この状態では、図１３の（ｂ）の示すように、接続端子４０の第３凹部４３が、接点基板８０の被摺接部８２に当接している。また、第１ラインの接続端子７１の凹部７１ａは第１被摺接部８２ａに当接しており、第２ラインの接続端子７１の凹部７１ａは第２被摺接部８２ｂに当接していない。
【００７１】
図１４は、コネクタユニット１０にプローブ側コネクタ１００が挿入された状態を示すものであり、（ａ）はコネクタユニット１０およびプローブ側コネクタ１００の断面図であり、（ｂ）は接続端子４０および接続端子７１と、接点基板８０および接続端子１１２との接続状態を示す模式図である。
【００７２】
次に、コネクタユニット１０にプローブ側コネクタ１００が挿入されると、図１４の（ａ）および（ｂ）に示すように、接続端子１１２が接続端子４０の第１凹部４１に対向する位置に位置する。ただし、この状態においては、接続端子１１２と接続端子４０の第１凹部４１とは当接しておらず、第１ラインおよび第２ラインのいずれも導通状態になっていない。
【００７３】
図１５は、第１カム５３および第２カム５４の長軸が水平方向となるように第１シャフト５１および第２シャフト５２を回転させた状態を示すものであり、（ａ）はコネクタユニット１０およびプローブ側コネクタ１００の断面図であり、（ｂ）は接続端子４０および接続端子７１と、接点基板８０および接続端子１１２との接続状態を示す模式図である。
【００７４】
次に、図１４に示す状態において、ユーザが上記操作レバーを介して第１シャフト５１を回転させると、図１５の（ａ）に示すように、第１シャフト５１および第２シャフト５２がそれぞれ回転する。そして、当該回転に連動して第１カム５３および第２カム５４の長軸が水平方向になるまで回転される。これにより、第１カム５３および第２カム５４が接続端子４０の第２凹部４２を外側に押圧する。これにより、第１凹部４１が、対応するプローブ側コネクタ１００の接続端子１１２に当接する。
【００７５】
図１５に示す状態では、第１ラインにおいて、接続端子４０の第１凹部４１が接続端子１１２と当接し、接続端子４０の第３凹部が第１被摺接部８２ａと当接し、かつ、接続端子７１の凹部７１ａが第１被摺接部８２ａと当接している。その結果、第１ラインに対応するプローブ側コネクタ１００の接続端子１１２と、基板２とが導通状態となる。一方、第２ラインにおいては、接続端子７１の凹部７１ａは、第２被摺接部８２ｂと当接していないため、第２ラインに対応するプローブ側コネクタ１００の接続端子１１２と、基板２とは導通状態となっていない。
【００７６】
図１５は、接点基板８０を下方に移動させた状態を示すものであり、（ａ）はコネクタユニット１０およびプローブ側コネクタ１００の断面図であり、（ｂ）は接続端子４０および接続端子７１と、接点基板８０および接続端子１１２との接続状態を示す模式図である。
【００７７】
次に、図１６の（ａ）に示すように、モータ６４ａによって接点基板８０を下方に移動させる。当該移動の機構は、上述した通りである。これにより、図１６の（ｂ）に示すように、第２ラインにおいて、接続端子７１の凹部７１ａが第２被摺接部８２ｂと当接する。これにより、第２ラインにおいて、接続端子４０の第１凹部４１が接続端子１１２と当接し、接続端子４０の第３凹部が第２被摺接部８２ｂと当接し、かつ、接続端子７１の凹部７１ａが第２被摺接部８２ｂと当接する。その結果、第２ラインに対応するプローブ側コネクタ１００の接続端子１１２と、基板２とが導通状態となる。なお、図１６に示す状態においても、第１ラインに対応する接続端子７１の凹部７１ａは、第１被摺接部８２ａと当接しているため、第１ラインに対応する、プローブ側コネクタ１００の接続端子１１２と、基板２とが導通状態となっている。すなわち、図１６に示す状態においては、プローブ側コネクタ１００のすべての接続端子１１２と、基板２とが導通状態となる。
【００７８】
次に、プローブ側コネクタ１００の接続端子１１２と、基板２とを非導通状態にする動作について説明する。まず、図１６に示す状態において、モータ６４ａによって接点基板８０を上方に移動させる。すると、図１５に示すように、第２ラインの接続端子７１の凹部７１ａが第２被摺接部８２ｂと当接しなくなる。これにより、第２ラインに対応する、プローブ側コネクタ１００の接続端子１１２と、基板２とが非導通状態となる。ただし、この状態においては、第１ラインに対応する、プローブ側コネクタ１００の接続端子１１２と、基板２とは、導通状態となっている。
【００７９】
次に、ユーザの上記操作レバーを介した操作により、第１カム５３および第２カム５４の長軸が上下方向になるまで、第１シャフト５１および第２シャフト５２が回転される。これにより、第１カム５３および第２カム５４による接続端子４０の第２凹部４２への押圧が解除される。その結果、図１４に示すように、第１凹部４１と、対応するプローブ側コネクタ１００の接続端子１１２との当接状態が解除される。これにより、プローブ側コネクタ１００のすべての接続端子１１２と、基板２とが非導通状態となる。これにより、コネクタユニット１０からプローブ側コネクタ１００を引き抜くことができるようになる。
【００８０】
以上のように、第２接点開閉部６０における接点切り替え機構では、複数の接続端子４０からなる第１接続端子群と、複数の接続端子７１からなる第２接続端子群と、導電性を有する被摺接部８２（第１被摺接部８２ａおよび第２被摺接部８２ｂ）が形成された、絶縁性を有する接点基板８０と、接点基板８０を移動させるモータ６４ａとを備えている。そして、モータ６４ａが接点基板８０を移動させることによって、複数の接続端子４０および複数の接続端子７１が接点基板８０上を摺動する。その結果、被摺接部８２と、複数の接続端子４０および複数の接続端子７１との接触状態が変化し、複数の接続端子４０および複数の接続端子７１との導通状態を切り替える構成である。
【００８１】
上記の構成によれば、接点基板８０が移動することによって、複数の接続端子４０からなる第１接続端子群と、複数の接続端子７１からなる第２接続端子群との導通状態を切り替えることができる。ここで接続端子４０は、プローブ側コネクタ１００の接続端子１１２と接続されており、接続端子７１は、コネクタユニット１０によってプローブ側コネクタ１００と導通をとるべき配線（基板２に接続される配線）と接続されており、基本的には移動させることは困難である。これに対して、上記の構成によれば、接続端子４０および接続端子７１を移動させることなく、接点基板８０を移動させることによって導通の切り替えを実現することができる。よって、別途移動接点を設けるなどの複雑な構造とすることなく、シンプルな構成で上記第１接続端子群と上記第２接続端子群との導通の切り替えを実現することができる。
【００８２】
また、第２接点開閉部６０における接点切り替え機構では、被摺接部８２は、接続端子４０が接点基板８０に当接する箇所と、当該接続端子４０に対向する接続端子７１が接点基板８０に当接する箇所とを通る直線上に形成されている。そして、モータ６４ａが接点基板８０を前記直線に平行な方向に移動させることにより、上記第１接続端子群と上記第２接続端子群との導通状態を切り替える構成である。
【００８３】
上記の構成によれば、接点基板８０を一方向に移動させることによって、互いに対向する接続端子４０と接続端子７１との導通状態を切り替えることができる。
【００８４】
また、第２接点開閉部６０における接点切り替え機構では、第１被摺接部８２ａに対応する（すなわち、第１ラインにおける）接続端子４０と接続端子７１とは、接点基板８０の位置に関わらず導通状態となっている。
【００８５】
上記の構成によれば、第１接点開閉部２０を閉状態とし、第２接点開閉部６０を開状態とした状態において、第１ラインに対応する、接続端子１１２と接続端子７１とを導通状態にすることができる。また、第１接点開閉部２０を閉状態とし、第２接点開閉部６０を閉状態とした状態において、全ての接続端子１１２と、対応する接続端子７１とを導通状態にすることができる。すなわち、第１接点開閉部２０を閉状態とすれば、第２接点開閉部６０の開閉状態によらず、プローブ側コネクタ１００の一部の接続端子１１２と基板２との導通を常時行うことができる。よって、例えば、プローブ側コネクタ１００と接続した状態で、常時情報を取得できることが好ましい接続端子（例えば、超音波プローブ４のＩＤの取得に使用する接続端子、超音波プローブ４への電源供給に使用する接続端子など）については、常時導通状態としておき、それ以外の接続端子については導通の切り替えを適宜行う、というような適用が可能となる。
【００８６】
また、常時接続する接続端子を変更する場合には、接点基板８０の配線パターン（すなわち、被摺接部８２を第１被摺接部８２ａとするか第２被摺接部８２ｂとするか）を変更することによって実現することができる。よって、例えば接続端子の配置や形状などを変更する場合と比較して、常時接続する接続端子を変更するためのコストをより低く抑えることができる。
【００８７】
なお、以上の説明では、本実施形態のコネクタユニットが超音波診断装置に備えられる例について説明したが、本発明のコネクタユニットはこれに限られるものではない。すなわち、本発明のコネクタユニットは、複数のセンサを備える電子機器であればどのような電子機器に対しても好適に用いることができる。
【００８８】
＜変形例１＞
次に、実施形態１における第２接点開閉部６０における接点切り替え機構の変形例について、図１７を参照しながら説明する。なお、説明の便宜上、実施形態１にて説明した部材と同じ機能を有する部材については、同じ符号を付記し、その説明を省略する。
【００８９】
図１７の（ａ）および（ｂ）は、実施形態１の第２接点開閉部６０における接点基板８０の変形例としての接点基板８０Ａを用いて接続端子４０と接続端子７１との導通状態を切り替える様子を示す図である。なお、図１７では、接点基板８０Ａの一部のみを図示している（下記の図１８〜図２１についても同様）。
【００９０】
図１７の（ａ）および（ｂ）に示すように、本変形例における接点基板８０Ａでは、被摺接部８２は、接続端子７１および接続端子４０に対向する位置に、上下方向に延びて形成されており、すべての被摺接部８２の上下方向が同じ長さになるように形成されている。
【００９１】
本変形例の第２接点開閉部６０における接点切り替え機構では、図１７の（ａ）に示すように、接点基板８０Ａが上方にある場合には、すべての接続端子７１の凹部７１ａは、被摺接部８２に当接してしない。すなわち、すべての接続端子４０とすべての接続端子７１とは、非導通状態である。
【００９２】
次に、モータ６４ａによって接点基板８０Ａを下方に移動させると、図１７の（ｂ）に示すように、すべての接続端子７１の凹部７１ａが被摺接部８２に当接し、かつ、すべての接続端子４０の第３凹部４３が被摺接部８２に当接する。これにより、すべての接続端子４０とすべての接続端子７１とが導通状態となる。
【００９３】
以上のように、本変形例の第２接点開閉部６０における接点切り替え機構では、モータ６４ａによって接点基板８０Ａを移動させることにより、すべての接続端子４０と接続端子７１との導通状態の切り替えを行うことができる。
【００９４】
＜変形例２＞
次に、実施形態１における第２接点開閉部６０における接点切り替え機構のさらなる変形例について、図１８を参照しながら説明する。
【００９５】
図１８の（ａ）〜（ｄ）は、実施形態１の第２接点開閉部６０における接点基板８０の変形例としての接点基板８０Ｂを用いて接続端子４０と接続端子７１との導通状態を切り替える様子を示す図である。
【００９６】
図１８の（ａ）〜（ｄ）に示すように、本変形例における接点基板８０Ｂは、被摺接部８２として、第１被摺接部８２ａ、第２被摺接部８２ｂ、または第３被摺接部８２ｃが形成されている。
【００９７】
第１被摺接部８２ａ、第２被摺接部８２ｂ、および第３被摺接部８２ｃは、上下方向の長さが互いに異なっている。具体的には、第１被摺接部８２ａ、第２被摺接部８２ｂ、および第３被摺接部８２ｃのそれぞれの上端は、接点基板８０Ｂの上端に位置しており、第１被摺接部８２ａ、第２被摺接部８２ｂ、および第３被摺接部８２ｃのそれぞれの下端の位置が互いに異なっている。より具体的には、第２被摺接部８２ｂの下端は、第１被摺接部８２ａの下端よりも下方に位置しており、第３被摺接部８２ｃの下端は、第２被摺接部８２ｂの下端よりも下方に位置している。
【００９８】
本変形例の第２接点開閉部６０における接点切り替え機構では、図１８の（ａ）に示すように、接点基板８０Ｂが上方にある場合には、すべての接続端子７１の凹部７１ａは、被摺接部８２に当接してしない。すなわち、すべての接続端子４０とすべての接続端子７１とは、非導通状態である。
【００９９】
次に、モータ６４ａによって、接点基板８０Ｂを下方に移動させると、図１８の（ｂ）に示すように、第３被摺接部８２ｃに対応する接続端子７１の凹部７１ａが第３被摺接部８２ｃに当接する。これにより、第３被摺接部８２ｃに対応する、接続端子４０と接続端子７１とが導通状態となる。
【０１００】
次に、モータ６４ａによって、接点基板８０Ｂをさらに下方に移動させると、図１８の（ｃ）に示すように、第２被摺接部８２ｂに対応する接続端子７１の凹部７１ａが第２被摺接部８２ｂに当接する。これにより、第２被摺接部８２ｂに対応する、接続端子４０と接続端子７１とが導通状態となる。
【０１０１】
次に、モータ６４ａによって、接点基板８０Ｂをさらに下方に移動させると、図１８の（ｄ）に示すように、第１被摺接部８２ａに対応する接続端子７１の凹部７１ａが第１被摺接部８２ａに当接する。これにより、第１被摺接部８２ａに対応する、接続端子４０と接続端子７１とが導通状態となる。すなわち、すべての接続端子４０とすべての接続端子７１とが導通状態となる。
【０１０２】
このように、本変形例の第２接点開閉部６０における接点切り替え機構では、第１被摺接部８２ａ、第２被摺接部８２ｂ、および第３被摺接部８２ｃの上下方向の長さを互いに異ならせている。これにより、第１被摺接部８２ａに対応する接続端子４０と接続端子７１とが導通する接点基板８０Ｂの位置と、第２被摺接部８２ｂに対応する接続端子４０と接続端子７１とが導通する接点基板８０Ｂの位置と、第３被摺接部８２ｃに対応する接続端子４０と接続端子７１とが導通する接点基板８０Ｂの位置とが互いに異なっている。これにより、接続端子４０と接続端子７１との導通状態の切り替えを段階的に行うことが可能となる。
【０１０３】
なお、本変形例では、接点基板８０Ｂが上下方向の長さが互いに異なる３つの被摺接部８２（第１被摺接部８２ａ、第２被摺接部８２ｂ、および第３被摺接部８２ｃ）を備える構成であったが、本発明の接点切り替え機構はこれに限られない。本実施形態の一態様における接点切り替え機構では、上下方向の長さが互いに異なる２つの被摺接部８２を備える構成であってもよいし、上下方向の長さが互いに異なる４つ以上の被摺接部８２を備える構成であってもよい。
【０１０４】
＜変形例３＞
次に、実施形態１における第２接点開閉部６０における接点切り替え機構のさらなる変形例について、図１９を参照しながら説明する。
【０１０５】
図１９の（ａ）および（ｂ）は、実施形態１の第２接点開閉部６０における接点基板８０の変形例としての接点基板８０Ｃを用いて接続端子４０と接続端子７１との導通状態を切り替える様子を示す図である。
【０１０６】
図１９の（ａ）および（ｂ）に示すように、本変形例における接点基板８０Ｃは、第１被摺接部８２ａと、第２被摺接部８２ｂとが形成されている。また、接点基板８０Ｃには、接続端子４０および接続端子７１が接点基板８０Ｃを摺動する領域（摺動領域）とは異なる領域において、第１被摺接部８２ａと第２被摺接部８２ｂとを電気的に接続する導通部８３が形成されている。導通部８３は、接点基板８０Ｃを複層基板にすることによって実現されてもよく、また、接点基板８０Ｃにおける、第１被摺接部８２ａおよび第２被摺接部８２ｂが形成されている面の裏面に形成されることによって実現してもよい。なお、本変形例では、図１９の（ａ）および（ｂ）に示すように、第１被摺接部８２ａに対応する接続端子４０に対向する接続端子７１がなく、かつ、第２被摺接部８２ｂに対応する接続端子７１に対向する接続端子４０がない構成となっている。
【０１０７】
本変形例の第２接点開閉部６０における接点切り替え機構では、図１９の（ａ）に示すように、接点基板８０Ｃが上方にある場合には、第２被摺接部８２ｂに対応する接続端子７１の凹部７１ａは、第２被摺接部８２ｂに当接してしない。したがって、図１９の（ａ）および（ｂ）に示す接続端子４０と接続端子７１とは、導通していない。
【０１０８】
次に、モータ６４ａによって接点基板８０Ｃを下方に移動させると、図１９の（ｂ）に示すように、第２被摺接部８２ｂに対応する接続端子７１の凹部７１ａが第２被摺接部８２ｂに当接する。これにより、上述したように第１被摺接部８２ａと第２被摺接部８２ｂとは導通部８３により電気的に接続されているので、第１被摺接部８２ａに対応する接続端子４０と第２被摺接部８２ｂに対応する接続端子７１とが導通状態となる。
【０１０９】
このように、本変形例の第２接点開閉部６０における接点切り替え機構では、１つの接続端子４０に対応する第１被摺接部８２ａと、当該接続端子４０との導通状態が切り替えられる少なくとも１つの接続端子７１に対応する第２被摺接部８２ｂとが、接点基板８０Ｃの移動方向（すなわち、上下方向）に平行な直線上に配置されていない（すなわち、同一直線状に配置されていない）。すなわち、図１９の（ａ）および（ｂ）における接続端子４０と接続端子７１とを電気的に接続するための被摺接部が、接続端子４０よび接続端子７１のそれぞれに形成されている。そして、第１被摺接部８２ａと第２被摺接部８２ｂとが、上記摺動領域とは異なる領域において導通部８３により電気的に接続されている。
【０１１０】
上記の構成により、本変形例の第２接点開閉部６０における接点切り替え機構では、複数の接続端子４０からなる第１接続端子群と、複数の接続端子７１からなる第２接続端子群との電気的接続において、対向していない接続端子４０と接続端子７１との導通状態を切り替えることができる。
【０１１１】
＜変形例４＞
次に、実施形態１における第２接点開閉部６０における接点切り替え機構のさらなる変形例について、図２０を参照しながら説明する。
【０１１２】
図２０の（ａ）および（ｂ）は、実施形態１における第２接点開閉部６０における接点基板８０の変形例としての接点基板８０Ｄを用いて接続端子４０と接続端子７１との導通状態を切り替える様子を示す図である。
【０１１３】
図２０の（ａ）および（ｂ）に示すように、本変形例における接点基板８０Ｄは、第１被摺接部８２ａと、第２被摺接部８２ｂと、第３被摺接部８２ｃとが形成されている。第１被摺接部８２ａは、接点基板８０Ｄの上端から下端にかけて形成されている。第２被摺接部８２ｂは、接点基板８０Ｄの上下方向の中央部に形成されている。第３被摺接部８２ｃは、第２被摺接部８２ｂの下端の位置から接点基板８０Ｄの下端まで形成されている。また、接点基板８０Ｄには、接続端子４０および接続端子７１が接点基板８０Ｄを摺動する領域（摺動領域）とは異なる領域において、第１被摺接部８２ａと、第２被摺接部８２ｂおよび第３被摺接部８２ｃとを電気的に接続する導通部８３Ａが形成されている。なお、本変形例では、図２０の（ａ）および（ｂ）に示すように、第１被摺接部８２ａに対応する接続端子４０に対向する接続端子７１がなく、かつ、第２被摺接部８２ｂおよび第３被摺接部８２ｃに対応する接続端子７１に対向する接続端子４０がない構成となっている。
【０１１４】
本変形例の第２接点開閉部６０における接点切り替え機構では、図２０の（ａ）に示すように、接点基板８０Ｄが上方にある場合には、第１被摺接部８２ａに対応する接続端子４０の第３凹部４３が第１被摺接部８２ａに当接し、第３被摺接部８２ｃに対応する接続端子７１の凹部７１ａが第３被摺接部８２ｃに当接する。その結果、上述したように第１被摺接部８２ａと第３被摺接部８２ｃとは導通部８３Ａにより電気的に接続されているので、第１被摺接部８２ａに対応する接続端子４０と、第３被摺接部８２ｃに対応する接続端子７１とが導通状態となる。なお、図２０の（ａ）に示す状態では、第２被摺接部８２ｂに対応する接続端子７１の凹部７１ａは、第２被摺接部８２ｂに当接していないので、第１被摺接部８２ａに対応する接続端子４０と、第２被摺接部８２ｂｃに対応する接続端子７１とは導通していない。
【０１１５】
次に、モータ６４ａによって接点基板８０Ｄを下方に移動させると、図２０の（ｂ）に示すように、第３被摺接部８２ｃに対応する接続端子７１の凹部７１ａが第３被摺接部８２ｃに当接しなくなるとともに、第２被摺接部８２ｂに対応する接続端子７１の凹部７１ａが第２被摺接部８２ｂに当接する。これにより、第１被摺接部８２ａに対応する接続端子４０と、第２被摺接部８２ｂに対応する接続端子７１とが導通状態となるとともに、第１被摺接部８２ａに対応する接続端子４０と、第３被摺接部８２ｃに対応する接続端子７１とが非導通状態となる。
【０１１６】
以上のように、本変形例の第２接点開閉部６０における接点切り替え機構では、１つの接続端子４０に対する２つの接続端子７１の導通状態の切り替えを行うことができる。すなわち、いわゆるＣ接点を実現することができる。
【０１１７】
なお、本変形例では、１つの接続端子４０に対する２つの接続端子７１の導通状態の切り替えを行う構成であったが本発明の接点切り替え機構はこれに限られない。本発明の一態様における接点切り替え機構では、１つの接続端子４０に対して３つ以上の接続端子７１の導通状態を切り替える構成であってもよい。
【０１１８】
＜変形例５＞
次に、実施形態１における第２接点開閉部６０における接点切り替え機構のさらなる変形例について、図２１を参照しながら説明する。
【０１１９】
図２１の（ａ）および（ｂ）は、実施形態１における第２接点開閉部６０における接点基板８０の変形例としての接点基板８０Ｅを用いて接続端子４０と接続端子７１との導通状態を切り替える様子を示す図である。
【０１２０】
図２１の（ａ）および（ｂ）に示すように、本変形例における接点基板８０Ｅは、第１被摺接部８２ａと、第２被摺接部８２ｂと、第３被摺接部８２ｃとが形成されている。第１被摺接部８２ａは、上下方向に離間して形成された２つの被摺接部（上部被摺接部８２ａａおよび下部被摺接部８２ａｂ）から形成されている。第２被摺接部８２ｂは、上下方向において、接点基板８０Ｅの下端から下部被摺接部８２ａｂの上端にかけて形成されている。第３被摺接部８２ｃは、上下方向において、接点基板８０Ｅの下端から上部被摺接部８２ａａの上端にかけて形成されている。
【０１２１】
また、接点基板８０Ｅには、接続端子４０および接続端子７１が接点基板８０Ｅを摺動する領域（摺動領域）とは異なる領域において、第１被摺接部８２ａの下部被摺接部８２ａｂと第２被摺接部８２ｂとを電気的に接続する導通部８３Ｂと、第１被摺接部８２ａの上部被摺接部８２ａａと第３被摺接部８２ｃとを電気的に接続する導通部８３Ｃとが形成されている。なお、本変形例では、図２１の（ａ）および（ｂ）に示すように、第１被摺接部８２ａに対応する接続端子４０に対向する接続端子７１がなく、かつ、第２被摺接部８２ｂおよび第３被摺接部８２ｃに対応する接続端子７１に対向する接続端子４０がない構成となっている。
【０１２２】
本変形例の第２接点開閉部６０における接点切り替え機構では、図２１の（ａ）に示すように、接点基板８０Ｅが上方にある場合には、第１被摺接部８２ａに対応する接続端子４０の第３凹部４３が下部被摺接部８２ａｂと当接しており、第２被摺接部８２ｂに対応する接続端子７１の凹部７１ａが第２被摺接部８２ｂに当接している。これにより、第１被摺接部８２ａに対応する接続端子４０と、第２被摺接部８２ｂに対応する接続端子７１とが導通状態となっている。
【０１２３】
次に、モータ６４ａによって接点基板８０Ｅを下方に移動させると、図２１の（ｂ）に示すように、第１被摺接部８２ａに対応する接続端子４０の第３凹部４３が下部被摺接部８２ａｂと当接しなくなり、上部被摺接部８２ａａと当接する。また、第３被摺接部８２ｃに対応する接続端子７１の凹部７１ａが第３被摺接部８２ｃに当接している。これにより、第１被摺接部８２ａに対応する接続端子４０と、第２被摺接部８２ｂに対応する接続端子７１とが非導通状態となるとともに、第１被摺接部８２ａに対応する接続端子４０と、第３被摺接部８２ｃに対応する接続端子７１とが導通状態となる。
【０１２４】
以上のように、本変形例の第２接点開閉部６０における接点切り替え機構では、１つの接続端子４０に対する２つの接続端子７１の導通状態の切り替えを行うことができる。すなわち、いわゆるＣ接点を実現することができる。
【０１２５】
実施形態１および各変形例における接点切り替え機構は、本発明の接点切り替え機構の一例である。すなわち、本発明の接点切り替え機構は、接点基板を移動させることにより、接続端子間の導通の切り替えを行うものであればよい。このような接点切り替え機構では、接点基板に形成される被摺接部（配線パターン）を変更するだけで、接続させる接続端子の変更（切り替え形態の変更）を行うことができる。また、以上に示した実施形態および各変形例で説明した被摺接部の形成パターンを組み合わせた接点基板を用いることもできる。
【０１２６】
〔実施形態２〕
本発明の他の実施形態について、図２２〜図２６に基づいて説明すれば、以下のとおりである。なお、説明の便宜上、前記実施形態にて説明した部材と同じ機能を有する部材については、同じ符号を付記し、その説明を省略する。
【０１２７】
図２２は、本実施形態におけるスイッチ２００の斜視図である。図２３は、スイッチ２００の側面図である。なお、図２３では、後述する、ハウジング２０１、蓋２０２、およびモータボックス６４ｂの図示を省略している。図２４は、端子ユニット２１０、基板ホルダー６２、およびガイドレール２０３を図示した斜視図である。
【０１２８】
図２２〜図２４に示すように、スイッチ２００は、ハウジング２０１と、蓋２０２と、２つの端子ユニット２１０と、２つの接点基板（基板）２３０と、２つの基板ホルダー６２と、ガイドレール２０３と、モータ部６４とを備えている。
【０１２９】
ハウジング２０１は、スイッチ２００の各部を収納する。ハウジング２０１の上部は、蓋２０２により閉じられている。ハウジング２０１の下部は、開口している。
【０１３０】
端子ユニット２１０は、複数の接続端子２２０（第１接続端子、第２接続端子）と、保持部材２１１とを備えている。端子ユニット２１０の構造は、実施形態１における端子ユニット７０の構造と同様であるため説明を省略する。
【０１３１】
ガイドレール２０３は、左右方向において、２つの基板ホルダー６２の間に配置されている。ガイドレール２０３は、図２４に示すように、前後方向に延びる直方体状になっており、下方に向かって開口する凹部２０３ａが形成されている。ガイドレール２０３の左右方向の側面２０３ｂには、２つの開口部２０３ｃがそれぞれ形成されている。開口部２０３ｃの形状は、実施形態１における開口部６３ａの形状と同様である。開口部２０３ｃには、基板ホルダー６２の突出部６２ｂが挿入されている。
【０１３２】
本実施形態においても、実施形態１と同様に、モータ６４ａによる駆動（アクチュエータ駆動）によりガイドレール２０３を前後方向に移動させる。これにより、ガイドレール２０３の移動に連動して、基板ホルダー６２の突出部６２ｂがガイドレール２０３の開口部２０３ｃから力を受け、基板ホルダー６２が上下方向に移動する。その結果、基板ホルダー６２の移動に連動して、接点基板２３０が上下方向に移動するようになっている。
【０１３３】
図２５は、接点基板２３０の平面図である。なお、図２５では、接点基板２３０の一部のみを図示している（図２６においても同様）。
【０１３４】
接点基板２３０は、端子ユニット２１０の複数の接続端子２２０間の導通状態を切り替えるための基板である。接点基板２３０は、基板ホルダー６２に保持されている。接点基板２３０は、図２５に示すように、絶縁部２３１上に、複数の接続端子２２０に対応する複数の第１被摺接部２３２ａと、隣接する２つの第１被摺接部２３２ａを繋ぐ複数の第２被摺接部２３２ｂとが形成されている。
【０１３５】
図２６の（ａ）および（ｂ）は、スイッチ２００における接続端子２２０間の導通状態を切り替える様子を示す図である。なお、図２６の（ａ）および（ｂ）では、簡略化のため、２つの接続端子２２０のみを図示している。
【０１３６】
スイッチ２００における接点切り替え機構では、図２６の（ａ）に示すように、接点基板２３０が上方にある場合には、接続端子２２０の凹部２２０ａは、第１被摺接部２３２ａに当接しておらず、接続端子２２０間は、非導通状態となっている。
【０１３７】
次に、モータ６４ａによって接点基板２３０を下方に移動させると、図２６の（ｂ）に示すように、接続端子２２０の凹部２２０ａが第１被摺接部２３２ａに当接する。その結果、上述したように隣接する２つの第１被摺接部２３２ａが第２被摺接部２３２ｂによって接続されているので、隣接する２つの接続端子２２０間が導通状態となる。
【０１３８】
以上のように、本実施形態におけるスイッチ２００（切り替え機構）では、モータ６４ａが接点基板２３０を移動させることによって、接続端子２２０が接点基板２３０上を摺動する。そして、第１被摺接部２３２ａと、接続端子２２０との接触状態が変化することによって、接続端子２２０間の導通状態が切り替える構成である。
【０１３９】
上記の構成によれば、接点基板２３０が移動することによって、接続端子２２０間の導通状態を切り替えることができる。ここで接続端子２２０がスイッチ２００によって動作が制御される機器に接続されており、基本的には移動させることは困難である。これに対して、上記の構成によれば、接続端子２２０を移動させることなく、接点基板２３０を移動させることによって導通の切り替えを実現することができる。よって、別途移動接点を設けるなどの複雑な構造とすることなく、シンプルな構成で接続端子２２０間の導通の切り替えを実現することができる。なお、スイッチ２００において、１組の被摺接部（すなわち、２つの第１被摺接部２３２ａと１つの第２被摺接部２３２ｂからなる組）における接続端子２２０のうち図２６に示す左側の接続端子２２０を複数まとめた群を第１接続端子群、右側の接続端子２２０を複数まとめた群を第２接続端子群と捉えることができる。このとき、本実施形態におけるスイッチ２００（切り替え機構）は、複数の接続端子２２０からなる第１接続端子群と、複数の接続端子２２０からなる第２接続端子群との導通状態が切り替えられるものであるとも言える。
【０１４０】
＜変形例６＞
次に、実施形態２における接点切り替え機構の変形例について、図２７を参照しながら説明する。
【０１４１】
図２７の（ａ）および（ｂ）は、実施形態２における接点基板２３０の変形例としての接点基板２３０Ａを用いて接続端子２２０間の導通状態を切り替える様子を示す図である。
【０１４２】
図２７の（ａ）および（ｂ）に示すように、本変形例における接点基板２３０Ａは、第１被摺接部２３２ａと、第２被摺接部２３２ｂと、第３被摺接部２３２ｃとが形成されている。第１被摺接部２３２ａは、接点基板２３０Ａの上端から下端にかけて形成されている。第２被摺接部２３２ｂは、接点基板２３０Ａの上端からの中央部にかけて形成されている。第３被摺接部２３２ｃは、第２被摺接部２３２ｂの下端の位置から接点基板２３０Ａの下端まで形成されている。また、接点基板２３０Ａには、接続端子２２０が接点基板２３０Ａを摺動する領域（摺動領域）とは異なる領域において、第１被摺接部２３２ａと、第２被摺接部２３２ｂおよび第３被摺接部２３２ｃとを電気的に接続する導通部２３３が形成されている。
【０１４３】
本変形例における接点切り替え機構では、図２７の（ａ）に示すように、接点基板２３０Ａが上方にある場合には、第１被摺接部２３２ａに対応する接続端子２２０の凹部２２０ａが第１被摺接部２３２ａに当接し、第３被摺接部２３２ｃに対応する接続端子２２０の凹部２２０ａが第３被摺接部２３２ｃに当接する。その結果、上述したように第１被摺接部２３２ａと第３被摺接部２３２ｃとは導通部２３３により電気的に接続されているので、第１被摺接部２３２ａに対応する接続端子２２０と、第３被摺接部２３２ｃに対応する接続端子２２０とが導通状態となる。なお、図２７の（ａ）に示す状態では、第２被摺接部２３２ｂに対応する接続端子２２０の凹部２２０ａは、第２被摺接部２３２ｂに当接していないので、第１被摺接部２３２ａに対応する接続端子２２０と、第２被摺接部２３２ｂｃに対応する接続端子２２０とは導通していない。
【０１４４】
次に、モータ６４ａによって接点基板２３０Ａを下方に移動させると、図２０の（ｂ）に示すように、第３被摺接部２３２ｃに対応する接続端子２２０の凹部２２０ａが第３被摺接部２３２ｃに当接しなくなるとともに、第２被摺接部２３２ｂに対応する接続端子２２０の凹部２２０ａが第２被摺接部２３２ｂに当接する。これにより、第１被摺接部２３２ａに対応する接続端子２２０と、第２被摺接部２３２ｂに対応する接続端子２２０とが導通状態となるとともに、第１被摺接部２３２ａに対応する接続端子２２０と、第３被摺接部２３２ｃに対応する接続端子２２０とが非導通状態となる。
【０１４５】
以上のように、本変形例における接点切り替え機構では、１つの接続端子２２０に対する２つの接続端子２２０の導通状態の切り替えを行うことができる。すなわち、いわゆるＣ接点を実現することができる。
【０１４６】
なお、本変形例では、１つの接続端子２２０に対する２つの接続端子２２０の導通状態の切り替えを行う構成であったが本発明の接点切り替え機構はこれに限られない。本発明の一態様における接点切り替え機構では、１つの接続端子２２０に対して３つ以上の接続端子２２０の導通状態を切り替える構成であってもよい。
【０１４７】
実施形態２およびその変形例に示したスイッチおよび接点切り替え機構は、本発明のスイッチまたは接点切り替え機構の一例である。すなわち、本発明の接点切り替え機構は、接点基板を移動させることにより、接続端子間の導通の切り替えを行うものであればよい。このような接点切り替え機構では、接点基板に形成される被摺接部（配線パターン）を変更するだけで、接続させる接続端子の変更（切り替え形態の変更）を行うことができる。また、以上に示した実施形態および各変形例で説明した被摺接部の形成パターンを組み合わせた接点基板を用いることもできる。
【０１４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１４９】
１０                                    コネクタユニット（コネクタ）
４０                                    接続端子（第１接続端子）
６４ａ                                  モータ（基板駆動部）
７１                                    接続端子（第２接続端子）
８０、８０Ａ〜８０Ｅ、２３０、２３０Ａ  接点基板（基板）
８２                                    被摺接部
８２ａ、２３２ａ                        第１被摺接部（被摺接部）
８２ｂ                                  第２被摺接部（被摺接部）
８２ｃ                                  第３被摺接部（被摺接部）
１００                                  プローブ側コネクタ（接続対象物）
１１２                                  接続端子（対象端子）
２２０                                  接続端子（第１接続端子、第２接続端子）
【図１】
2018200819.tif 000003
【図２】
2018200819.tif 000004
【図３】
2018200819.tif 000005
【図４】
2018200819.tif 000006
【図５】
2018200819.tif 000007
【図６】
2018200819.tif 000008
【図７】
2018200819.tif 000009
【図８】
2018200819.tif 000010
【図９】
2018200819.tif 000011
【図１０】
2018200819.tif 000012
【図１１】
2018200819.tif 000013
【図１２】
2018200819.tif 000014
【図１３】
2018200819.tif 000015
【図１４】
2018200819.tif 000016
【図１５】
2018200819.tif 000017
【図１６】
2018200819.tif 000018
【図１７】
2018200819.tif 000019
【図１８】
2018200819.tif 000020
【図１９】
2018200819.tif 000021
【図２０】
2018200819.tif 000022
【図２１】
2018200819.tif 000023
【図２２】
2018200819.tif 000024
【図２３】
2018200819.tif 000025
【図２４】
2018200819.tif 000026
【図２５】
2018200819.tif 000027
【図２６】
2018200819.tif 000028
【図２７】
2018200819.tif 000029